【事件の表示】
　平成３年特許願第３４８２０９号「表示装置」拒絶査定不服審判事件〔平成５年６月２５日出願公開、特開平５−１５８４３０〕について、次のとおり審決する。
【結　論】
　本件審判の請求は、成り立たない。
【理　由】
第１　手続の経緯
　本件は、平成３年１２月３日にされた特許出願（特願平３−３４８２０９号。以下「本件出願」という。）につき、拒絶査定が平成１３年１２月２６日付けでされ、平成１４年１月８日に発送されたところ、この拒絶査定に対する審判が同年２月５日に請求され、手続補正書が同年３月７日に提出され、当審において平成１６年１１月９日付けで拒絶の理由を通知し、同月１６日に発送したところ、平成１７年１月１７日に手続補正書及び意見書が提出されたものである。
　
第２　本件出願に係る発明
　本件出願の請求項に係る発明は、平成１３年４月１６日付け手続補正書、同年１２月１０日付け手続補正書、平成１４年３月７日付け手続補正書及び平成１７年１月１７日付け手続補正書により補正された明細書及び図面の記載からみて、その特許請求の範囲の請求項に記載されたとおりのものであり、その請求項１の記載は次のとおりである。
「【請求項１】
　複数の表示素子から選択される１又は２以上を点灯させる表示装置であって、
　クロック信号を計数し、複数ビットの計数出力を発生する計数手段と、
　この計数手段の前記計数出力を受けて前記表示素子毎に駆動電流を流す導通時間が設定されたコモン信号を形成し、前記計数出力に応じたタイミングで前記コモン信号を出力するデコーダと、
　前記クロック信号を受け、その有無を表すクロック検出信号を発生するクロック検出手段と、
　このクロック検出手段から前記クロック検出信号、前記デコーダから前記コモン信号が加えられ、前記クロック信号が存在しているとき、前記コモン信号を通過させ、前記クロック信号が存在していないとき、前記コモン信号を遮断するゲート回路と、
　複数の前記表示素子に共通に設置されて前記表示素子のそれぞれに直列に接続され、且つ、前記コモン信号により導通して前記表示素子に駆動電流を流す第１のトランジスタと、複数の前記表示素子に個別に設置されて直列に接続され、且つ、表示制御信号により導通することにより前記表示素子に個別に駆動電流を流す第２のトランジスタとを備えたことにより、前記コモン信号に設定された前記導通時間で前記第１のトランジスタを導通させ、前記表示制御信号により前記第２のトランジスタを導通させることにより１又は２以上の前記表示素子に前記駆動電流を流し、前記コモン信号の遮断によって前記第１のトランジスタ及び前記第２のトランジスタを遮断状態に切り換えることにより前記表示素子の前記駆動電流を解除する駆動回路と、
　を備えたことを特徴とする表示装置。」
　
第３　引用刊行物に記載された発明
　当審で通知した拒絶の理由に引用した刊行物及びその記載事項は、次のとおりである。
　１　特開昭６３−２５９５９３号公報（以下「刊行物１」という。）
　刊行物１には、図面とともに、「［産業上の利用分野］本発明は発光ダイオード等の負荷の保護回路に関するものである。［従来の技術］例えば発光ダイオードをマトリクス状に配設して表示を行う表示装置においては、配線数を少なくするためにダイナミック駆動を採用したものがある。これは、各発光ダイオードを複数のブロックに分割し、リングカウンタの出力によってブロック単位で順次ダイナミック駆動するものである。［発明が解決しようとする問題点］上記のものでは、リングカウンタの出力によって各ブロックを直接選択するものであるため、リングカウンタの入力パルスが何らかの故障によって停止すると、特定のブロックが選択されたままとなってしまう。通常、ダイナミック駆動の場合には、スタティック駆動の場合と比べて負荷を駆動できる時間が短くなるため、瞬間的には定格以上の電流を流して駆動を行っている。そのため、特定のブロックが選択されたままとなると、連続的に定格以上の電流が発光ダイオードに流れ、破損してしまうものであった。本発明は上記の欠点を除去し、負荷の破損を防止することを目的とするものである。」（１頁左下欄１５行〜右下欄１８行）、「第１図において、１はクロックパルス発生回路、２は５ビットのリングカウンタからなるパルス発生回路、４は一定時間幅ｔのパルスを発生するワンショットパルス発生回路である。４は微分回路、５〜７はゲート回路、８〜１０はそれぞれｎ個の発光ダイオードｄ１〜ｄｎからなるブロックである。１１は端子ｐ〜ｐからのデータを受けて発光ダイオードの駆動出力を生じるデータ選択回路、Ｉ１〜Ｉｎはインバータである。つぎに動作について説明する。パルス発生回路２の出力端子ａ〜ｅからは第２図ａ〜ｅのように順次タイミングパルスが発生する。まず端子ａからのパルスによってワンショットパルス発生回路３がトリガされ、その出力からは第２図ｆのような幅ｔのパルスが発生する。このパルス幅ｔは、端子ｂ〜ｄからのタイミングパルスが発生し終るまでの時間よりやや長い時間に設定してある。ワンショットパルス発生回路３からの上記パルスの発生中は、ゲート回路５〜７が開いており、パルス発生回路２の端子ｂ〜ｄからの各タイミングパルスが順次ゲート回路５〜７を通過する。まず端子ｂからタイミングパルスが発生すると、データ選択回路１１によってブロック８の駆動データが選択される。一方、上記タイミングパルスはゲート回路５を通過してブロック８の発光ダイオードに共通に供給される。こうして、まずブロック８の発光ダイオードが選択的に駆動される。つぎに端子ｃからタイミングパルスが発生すると、データ選択回路１１によってブロック９の駆動データが選択され、ブロック９の発光ダイオードが選択的に駆動される。同様に、端子ｄからのタイミングパルスによってブロック１０の発光ダイオードが選択的に駆動されるものである。そこで故障によってクロックパルス発生回路１の発振が第２図のように停止すると、パルス発生回路２のいずれかの端子、例えば端子ｃから出力が発生したままとなってしまう。ところがワンショットパルス発生回路３からのパルスは、その発生から時間ｔ後に停止するため、ゲート回路６からの出力も停止し、ブロック９の発光ダイオードに大電流が長時間流れるのを防止でき、破損を防止することができるのである。」（２頁左上欄６行〜左下欄８行）、「［発明の効果］本発明は、タイミングパルスによってトリガされるワンショットパルス発生回路からパルスが発生している間のみ負荷の駆動を可能とするようにしたので、ダイナミック駆動のためのタイミングパルスが停止しても、負荷に長時間大電流が流れるのを防止することができ、負荷の破損を防止できるものである。」（２頁左下欄２０行〜右下欄７行）等の記載がされている。
　２　特開昭６２−１１８４２０号公報（以下「刊行物２」という。）
　刊行物２には、図面とともに、「（発明の技術分野）本発明は、マトリクス駆動装置に関し、特に、複数の発光ダイオードで形成されるダイオードマトリクス中の各ダイオードを走査し、駆動制御するマトリクス駆動装置に関する。」（１頁左下欄１８行〜右下欄２行）、「第１図には本発明に係るマトリクス駆動装置が示されている。このマトリクス駆動装置は発光ダイオードＤを含むダイオードマトリクスを備え、このダイオードマトリクスは行ｍ×列ｎの構成を有している。即ち、（ｍ×ｎ）個の発光ダイオードは、Ｄ１１〜Ｄ１ｎ、Ｄ２１〜Ｄ２ｎ、−−−−Ｄｍ１〜Ｄｍｎとしてマトリクス状に配列されている。これらの発光ダイオードＤを駆動制御するための信号は、ＣＰＵ１０を介して供給されるようになっている。即ち、ＣＰＵ１０の行信号出力端子Ｏｌ１〜Ｏｌｐからは複数の行制御信号Ｓｌ１〜Ｓｌｐが、又ＣＰＵ１０の列信号出力端子Ｏｒ１〜Ｏｒｇからは複数の列制御信号Ｓｒ１〜Ｓｒｇがそれぞれ出力される。複数の行制御信号Ｓｌ１〜Ｓｌｐは行アドレスデコーダ２０の信号入力端子Ｉ１〜Ｉｐにそれぞれ供給される。複数の列制御信号Ｓｒ１〜Ｓｒｇは列アドレスデコーダ３０の信号入力端子Ｉ１〜Ｉｇにそれぞれ供給される。行アドレスデコーダ２０の信号出力端子Ｏ１〜Ｏｍは、ＰＮＰトランジスタＴ１〜Ｔｍを介してダイオードマトリクスの行側を駆動するｍ個のＰＮＰトランジスタＱｌ１〜Ｑｌｍのベースにそれぞれ接続されており、走査信号としての行信号ＳＬ１〜ＳＬｍを出力する。トランジスタＴ１〜Ｔｍのベースは共通に接続されて接地されている。また、列アドレスデコーダ３０の信号出力端子Ｏ１〜Ｏｎは、ＰＮＰトランジスタＴ’１〜Ｔ’ｎを介してダイオードマトリクスの列側を駆動するｎ個のＮＰＮトランジスタＱｒ１〜Ｑｒｎのベースにそれぞれ接続されており、列信号ＳＲ１〜ＳＲｎを出力する。」（２頁左上欄１０行〜左下欄２行）、「第２図には本発明の他の実施例が示されている。この実施例において、・・・パルス信号をカウントし、カウントする毎に行制御信号・・・と列制御信号・・・をそれぞれ出力する。」（３頁右下欄９〜１４行）、「この実施例において、通常は、行アドレスレコーダ（当審注　「デコーダ」の誤記と認める。）２０及び列アドレスデコーダ３０より行信号・・・及び列信号・・・が出力される毎に、・・・発光ダイオードＤが順次走査され、発光する。」（４頁左上欄６〜１２行）等の記載がされている。
　３　特開昭６０−１４３３９５号公報（以下「刊行物３」という。）
　刊行物３には、図面とともに、「〔発明の技術分野〕本発明は、発光色の異なる３色の発光ダイオード（以下、ＬＥＤと呼称する）を単位素子とし、これら３色のＬＥＤがマトリクス状に配列されたマトリクス表示パネルを用いることにより、表示すべきパターンを多色で表示するようにした多色表示装置に関するものである。」（１頁右下欄６〜１２行）、「第１図は本発明による多色表示装置の一実施例を示す回路構成のブロック図であり、ここでは、表示すべきパターンを３つのゾーンに分割して各ゾーンを赤色、緑色および青色の組合せによる３色で多色を行う場合を示す。同図において、１は赤色、緑色および青色をそれぞれ呈する３色のＬＥＤ２、３および４を単位素子とし、これらＬＥＤ２〜４が行選択ラインＸ１〜Ｘｎの１つを共通にして各色毎に独立した３重の列選択ラインＹｒ１〜Ｙｒｍ、Ｙｇ１〜ＹｇｍおよびＹｂ１〜Ｙｂｍと交差する位置にそれぞれ接続されてマトリクス状に配列されたマトリクス表示パネルであり、前記各ＬＥＤ２〜４は便宜上、１行１列目のＬＥＤ２〜４を２１１、３１１、４１１で示し、以下、同様に各行、列の数値を添え字で示している。」（２頁右上欄１５行〜左下欄９行）、「なお、前記各行カウンタ１２、行デコーダ１３、ドライブ回路１４によって行駆動回路１５を構成している。」（２頁右下欄５〜７行）等の記載がされている。
　
第４　当審の判断
　本件出願の請求項１に係る発明（以下「本願発明」という。）と刊行物１に記載された発明とを対比すると、刊行物１に記載された「発光ダイオード」、「タイミングパルス」、「パルス発生回路２」、「ワンショットパルス発生回路３」、「ゲート回路５〜７」は、それぞれ本願発明の「表示素子」、「コモン信号」、「計数手段」、「クロック検出手段」、「ゲート回路」に相当する。
　そうすると、本願発明と刊行物１に記載された発明とは、以下の一致点で一致し、相違点１及び２で相違する。
　一致点　「複数の表示素子から選択される１又は２以上を点灯させる表示装置であって、クロック信号を計数し、複数ビットの計数出力を発生する計数手段」と、「前記クロック信号を受け、その有無を表すクロック検出信号を発生するクロック検出手段」と、「このクロック検出手段から前記クロック検出信号」、「前記コモン信号が加えられ、前記クロック信号が存在しているとき、前記コモン信号を通過させ、前記クロック信号が存在していないとき、前記コモン信号を遮断するゲート回路」とを備える「表示装置」である点。
　相違点１　刊行物１には「計数手段の前記計数出力を受けて前記表示素子毎に駆動電流を流す導通時間が設定されたコモン信号を形成し、前記計数出力に応じたタイミングで前記コモン信号を出力するデコーダ」を備え、「デコーダから」前記コモン信号が加えられることについて記載されていない点。
　相違点２　刊行物１には「複数の前記表示素子に共通に設置されて前記表示素子のそれぞれに直列に接続され、且つ、前記コモン信号により導通して前記表示素子に駆動電流を流す第１のトランジスタと、複数の前記表示素子に個別に設置されて直列に接続され、且つ、表示制御信号により導通することにより前記表示素子に個別に駆動電流を流す第２のトランジスタとを備えたことにより、前記コモン信号に設定された前記導通時間で前記第１のトランジスタを導通させ、前記表示制御信号により前記第２のトランジスタを導通させることにより１又は２以上の前記表示素子に前記駆動電流を流し、前記コモン信号の遮断によって前記第１のトランジスタ及び前記第２のトランジスタを遮断状態に切り換えることにより前記表示素子の前記駆動電流を解除する駆動回路」について記載されていない点。
　相違点１について検討する。
　刊行物１には、リングカウンタからなるパルス発生回路２により、発光ダイオード毎に駆動電流を流す導通時間が設定されたタイミングパルスを形成し、所定のタイミングでこのタイミングパルスを出力することが記載されている。この刊行物１に記載された発明ではリングカウンタを用いているが、計数手段の後段にデコーダを用い、計数手段の計数出力を受けて計数出力に応じたタイミングで信号を出力することは、例えば刊行物２、刊行物３にも示され、周知慣用の技術手段であり、刊行物１に記載された発明においてデコーダを用い、相違点１のようにすることは当業者が適宜に行ないうることである。
　相違点２について検討する。
　刊行物２には、複数の発光ダイオードに共通に設置されて前記発光ダイオードのそれぞれに直列に接続され、かつ、行信号により導通して前記発光ダイオードに駆動電流を流す第１のトランジスタ（Ｑｌ１〜Ｑｌｍ）と、複数の前記発光ダイオードに個別に設置されて直列に接続され、かつ、列信号により導通することにより前記発光ダイオードに個別に駆動電流を流す第２のトランジスタ（Ｑｒ１〜Ｑｒｎ）とを備えたことにより、前記行信号に設定された導通時間で前記第１のトランジスタを導通させ、前記列信号により前記第２のトランジスタを導通させることにより１又は２以上の前記発光ダイオードに駆動電流を流し、前記行信号の遮断によって前記第１のトランジスタ及び前記第２のトランジスタを遮断状態に切り換えることにより前記発光ダイオードの前記駆動電流を解除する駆動回路が示されており、また、このような駆動回路を用いることは周知慣用の技術手段でもあり、刊行物１に記載された発明にこのような技術手段を適用し相違点２のようにすることは当業者が適宜に行いうることである。
　そして、本願発明の奏する作用効果についてみても、刊行物１に記載された発明、周知慣用の技術手段から予測しうるものであり、格別のものではない。
　したがって、本願発明は、当業者が刊行物１に記載された発明並びに刊行物２及び３に示されているような周知慣用の技術手段に基いて容易に発明をすることができたものである。
　
第５　むすび
　以上のとおり、本件出願の請求項１に係る発明は特許法２９条２項の規定により特許を受けることができないものであるから、その余の請求項に係る発明について判断するまでもなく、本件出願は、当審で通知した上記拒絶の理由によって拒絶をすべきものである。
　よって、結論のとおり審決する。